【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
予め定められた分類のいずれかにドキュメントを分類して格納するドキュメントデータベースに接続されたコンピュータに、
前記分類の少なくとも一部を対象分類として、当該対象分類の各々について、前記ドキュメントデータベースに格納されているドキュメントであって、当該対象分類に分類されているドキュメントのうちの少なくとも一部を代表ドキュメントとして選択する代表選択手順と、
前記選択した代表ドキュメントに関係する情報を利用者に提示する手順と、
を実行させることを特徴とする分類案内プログラム。
【請求項２】
請求項１に記載の分類案内プログラムにおいて、
前記代表選択手順においては、前記対象分類の各々について、前記ドキュメントデータベースに格納されているドキュメントであって、当該対象分類に分類されているドキュメントのうちから、各ドキュメントに対するアクセス履歴に基づいて、当該対象分類に分類されているドキュメントのうちの少なくとも一部を代表ドキュメントとして選択することを特徴とする分類案内プログラム。
【請求項３】
予め階層的に定められた分類のいずれかにドキュメントを分類して格納するドキュメントデータベースに接続されたコンピュータに、
前記分類の少なくとも一部を対象分類として、当該対象分類の各々について、当該対象分類の下位の分類として定められている分類のうちの少なくとも一部を代表分類として選択する手順と、
前記選択した代表分類に関係する情報を利用者に提示する手順と、
を実行させることを特徴とする分類案内プログラム。
【請求項４】
予め定められた分類のいずれかにドキュメントを分類して格納するドキュメントデータベースに接続されたコンピュータを用い、
前記コンピュータの選択手段が、前記分類の少なくとも一部を対象分類として、当該対象分類の各々について、前記ドキュメントデータベースに格納されているドキュメントであって、当該対象分類に分類されているドキュメントのうちの少なくとも一部を代表ドキュメントとして選択し、
前記コンピュータの提示手段が、前記選択した代表ドキュメントに関係する情報を利用者に提示することを特徴とする分類案内方法。
【請求項５】
予め定められた分類のいずれかにドキュメントを分類して格納するドキュメントデータベースに接続された分類案内装置であって、
前記分類の少なくとも一部を対象分類として、当該対象分類の各々について、前記ドキュメントデータベースに格納されているドキュメントであって、当該対象分類に分類されているドキュメントのうちの少なくとも一部を代表ドキュメントとして選択する代表選択手段と、
前記選択した代表ドキュメントに関係する情報を利用者に提示する手段と、
を含むことを特徴とする分類案内装置。
【請求項６】
予め定められた分類のいずれかにドキュメントを分類して格納するドキュメントデータベースに接続された分類案内装置であって、
前記分類は、階層的に定められており、
前記分類の少なくとも一部を対象分類として、当該対象分類の各々について、当該対象分類の下位の分類として定められている分類のうちの少なくとも一部を代表分類として選択する手段と、
前記選択した代表分類に関係する情報を利用者に提示する手段と、
を含むことを特徴とする分類案内装置。
【手続補正２】
【補正対象書類名】明細書
【補正対象項目名】０００５
【補正方法】変更
【補正の内容】
【０００５】
請求項１記載の発明は、分類案内プログラムであって、予め定められた分類のいずれかにドキュメントを分類して格納するドキュメントデータベースに接続されたコンピュータに、前記分類の少なくとも一部を対象分類として、当該対象分類の各々について、前記ドキュメントデータベースに格納されているドキュメントであって、当該対象分類に分類されているドキュメントのうちの少なくとも一部を代表ドキュメントとして選択する代表選択手順と、前記選択した代表ドキュメントに関係する情報を利用者に提示する手順と、を実行させることとしたものである。
【手続補正３】
【補正対象書類名】明細書
【補正対象項目名】０００６
【補正方法】変更
【補正の内容】
【０００６】
請求項２記載の発明は、請求項１に記載の分類案内プログラムであって、前記代表選択手順においては、前記対象分類の各々について、前記ドキュメントデータベースに格納されているドキュメントであって、当該対象分類に分類されているドキュメントのうちから、各ドキュメントに対するアクセス履歴に基づいて、当該対象分類に分類されているドキュメントのうちの少なくとも一部を代表ドキュメントとして選択することとしたものである。
【手続補正４】
【補正対象書類名】明細書
【補正対象項目名】０００７
【補正方法】変更
【補正の内容】
【０００７】
請求項３記載の発明は、分類案内プログラムであって、予め階層的に定められた分類のいずれかにドキュメントを分類して格納するドキュメントデータベースに接続されたコンピュータに、前記分類の少なくとも一部を対象分類として、当該対象分類の各々について、当該対象分類の下位の分類として定められている分類のうちの少なくとも一部を代表分類として選択する手順と、前記選択した代表分類に関係する情報を利用者に提示する手順と、を実行させることとしたものである。
【手続補正５】
【補正対象書類名】明細書
【補正対象項目名】０００８
【補正方法】変更
【補正の内容】
【０００８】
請求項４記載の発明は、分類案内方法であって、予め定められた分類のいずれかにドキュメントを分類して格納するドキュメントデータベースに接続されたコンピュータを用い、前記コンピュータの選択手段が、前記分類の少なくとも一部を対象分類として、当該対象分類の各々について、前記ドキュメントデータベースに格納されているドキュメントであって、当該対象分類に分類されているドキュメントのうちの少なくとも一部を代表ドキュメントとして選択し、前記コンピュータの提示手段が、前記選択した代表ドキュメントに関係する情報を利用者に提示することとしたものである。
【手続補正６】
【補正対象書類名】明細書
【補正対象項目名】０００９
【補正方法】変更
【補正の内容】
【０００９】
請求項５記載の発明は、予め定められた分類のいずれかにドキュメントを分類して格納するドキュメントデータベースに接続された分類案内装置であって、前記分類の少なくとも一部を対象分類として、当該対象分類の各々について、前記ドキュメントデータベースに格納されているドキュメントであって、当該対象分類に分類されているドキュメントのうちの少なくとも一部を代表ドキュメントとして選択する代表選択手段と、前記選択した代表ドキュメントに関係する情報を利用者に提示する手段と、を含むこととしたものである。
【手続補正７】
【補正対象書類名】明細書
【補正対象項目名】００１０
【補正方法】変更
【補正の内容】
【００１０】
請求項６記載の発明は、予め定められた分類のいずれかにドキュメントを分類して格納するドキュメントデータベースに接続された分類案内装置であって、前記分類は、階層的に定められており、前記分類の少なくとも一部を対象分類として、当該対象分類の各々について、当該対象分類の下位の分類として定められている分類のうちの少なくとも一部を代表分類として選択する手段と、前記選択した代表分類に関係する情報を利用者に提示する手段と、を含むこととしたものである。